(57)【要約】  連結、連結解除の作業がしやすく、しかも、拗れに起因して、また拗れに起因しないで、操作部に不用意な連結解除が働く確率を低く抑えられる動物用の連結具を提供する。  連結具２００は、基部環１が連結された基部２から延びた先端部１０側に二股部３を形成している本体４と、二股部３の開放部５を開閉し二股部と協働して連結対象６を連結、連結解除する開閉機構７とを備え、開閉機構７は、開放部５を一方側３ａと他方側３ｂとの間で進退して開閉する開閉部材８、開閉部材８を閉じるように付勢するばね９、および、本体の二股部３が並ぶ並び面４ａに臨出して、開閉部材８の二股部３の一方側３ａから他方側３ｂに進出する閉じ動作に応動して二股部３の並び方向の他方側３ｂから一方側３ａに移動され、一方側３ａから他方側３ｂに操作されて開閉部材８をばね９に抗し後退させて開く操作部２１、を有して、上記の目的を達成する。
2014013570.tif 000002
【特許請求の範囲】
【請求項１】
基部環が回転自在に連結された基部から延びた先端部側に寄って二股部を形成している本体と、この本体の二股部の開放部を開閉し二股部と協働して連結対象を連結、連結解除する開閉機構とを備え、
この開閉機構は、前記本体に前記二股部の開放部をその一方側と他方側との間で進退して開閉するように保持された開閉部材、この開閉部材を常時閉じるように付勢するばね、および、本体の二股部が並ぶ並び面に臨出して、前記開閉部材の前記本体二股部の一方側から他方側に進出する閉じ動作に応動して二股部の並び方向の他方側から一方側に移動され、前記一方側から前記他方側に操作されて開閉部材をばねに抗し後退させて開く操作部、を有したことを特徴とする動物用の連結具。
【請求項２】
前記開閉部材は、Ｃ型で二股部が並ぶ平面上での往復旋回動により一端部が二股部の一方側と他方側との間で進退して開放部を開閉し、他端部側が操作部に繋がっている請求項１に記載の動物用の連結具。
【発明の詳細な説明】
【技術分野】
【０００１】
本発明は、例えば、犬や猫などの動物への装着帯、装着衣に設けられた連結環に、引き紐や係留紐側を連結するのに用いられる動物用の連結具に関する。
【背景技術】
【０００２】
このような連結具は、一般にナス環と称され動物用のほか、カバン類用などとして広く知られている。従来、動物用では、引き紐や係留紐側の連結具としてそれらの先端に連結され、動物への装着帯や装着衣に起伏できるように設けられた通常Ｄ環といわれる連結環（下記特許文献１の図９参照）に連結して用いられる。この連結のために連結具（以下ナス環という）は、一般に、下記特許文献１が開示するように、軸部からフック部が延び、このフック部の先端が前記軸部に対向してフック部の開放部を形成している。この開放部は、前記軸部にフック部の先端側から収容されてフック部の先端側にばねで付勢係止ピンがフック部の先端に当接することで常閉とし、係止ピンから軸部に設けた軸線方向のスライド溝を通じ外部に突出した操作部による操作で、係止ピンを後退させて前記開放部を開き、Ｄ環などに連結したり、連結を解除したりできるようにしている。【０００３】
しかし、特許文献１に開示のように、動物の引き連れ中や係留中、動物が何かに驚いたり、興味を示して異常な動きをする際にナス環とＤ環とが拗れ、Ｄ環がナス環の操作部を押動し係止ピンを後退させてしまい、フック部の開放部が開いてＤ環との連結が不用意に外れる問題がある。これに対応するのに特許文献１は、ナス環とＤ環との間に仲介リングを連結することで、ナス環とＤ環との間の自由度を高めて相互が拗れにくくして、ナス環が不用意に開放されるのを防止する技術を開示している。【０００４】
一方、下記の特許文献２は、係止ピンの開放部に対する半開位置にてスライド溝の途中から分岐したスライド溝に平行なロック溝を設け、係止ピンの回動を伴い操作部をスライド溝からロック溝に導き、ロック溝に沿った操作部の移動を伴い係止ピンがフック部の先端に当接する閉じ位置となるようにした技術を開示している。これにより、操作部が閉じ位置から押し戻されても半開位置までであり、Ｄ環などとの連結が不用意にはずれにくくなる。【０００５】
ところが、特許文献１が開示する技術は、ナス環とＤ環との間に仲介リングを連結するだけの構造で、相互間の捻じれ量によっては拗れが生じ、ナス環が不用意に開かれるのを回避しきれる確証はない。また、特許文献２が開示する技術も、ナス環が半開状態になった状態で、操作部をロック溝からスライド溝に戻して前回位置まで押し戻されることは回避しきれるとはいえない。【０００６】
これに対応するのに、本出願人は、下記特許文献３に開示する連結具の改良版を先に提案している。この改良版の連結具は、基部環が回転自在に連結された基部から延びた先端部側に寄って二股部を形成した扁平な本体、本体内に往復旋回動できるように収容されて、連結端部が二股部の開放部にその一方側から連結対象と連結されるように進出して開放部を閉じ、また二股部から後退して開放部を開き連結対象との連結を解除できるＣ型の連結リング、連結リングを連結位置に保持するように付勢するばね、を備え、連結リングは、本体の側部に臨んでばねに抗し連結解除位置に後退操作される、つまり先端部側から押し戻し操作される操作部を有して、Ｄ環等の連結対象の移動範囲を規制して、外まわりに臨む操作部に連結対象による押し戻し力が及ぶのを防止できるようにしている。【０００７】
これにより、引き紐類と動物への首輪などの装着帯や装着衣側のＤ環などの連結対象との間で、本体をその連結リングにて連結対象に連結し、動物を引き連れたり係留したりするのに、動物が何かに驚いたり、興味を示して異常な動きをする際、相互間に張力が働いている条件下で本体と連結対象とが拗れて、本体側に強制的な外力を及ぼすにしても、連結対象の本体側への移動域を本体の先端部側中央部に寄った二股部により制限して、連結対象側の強制的な外力が操作部に及んで連結リングを連結解除位置に後退させるのを防止するので、連結が不用意に外れにくいものとなる。
【先行技術文献】
【特許文献】
【０００８】
【特許文献１】特開２００６−１４１２０５号公報
【特許文献２】特開２００９−７２０８０号公報
【特許文献３】特開２０１２−２３９７６号公報
【発明の概要】
【発明が解決しようとする課題】
【０００９】
特許文献３において提案された連結具の改良は、連結具と動物側のＤ環などの連結対象との間の動物の異常な動きによる拗れから連結対象側から連結具の操作部に連結解除の外力が及ぶものとの認識に基づいてなされた。しかし、本発明者は、この改良版の連結具につき、その改良にかかわらず連結が不用意に解除されることがあるのをその後の使用実験などで判明した。このような不用意な連結の解除は、本体側操作部とＤ環などの連結対象との間でなく、例えば、本体が緊張した連結状態のもと動物の装着帯や装着衣と輪郭部、側部で擦れる際に、側部の操作部に押し戻し力を受けることで生じた。【００１０】
一方、動物は引き紐を緊張させながら行動し、突き進むことが多々ある。このような動物の行動は、連結具の操作部が何らかに当たったり、引っかかったり、擦れたりする原因となるので、操作部に連結解除の外力、つまり押し戻し外力が働きやすいことが懸念される。このような懸念は、特許文献３が開示する改良版の連結具に限らず、押し戻し操作方式である既存のナス環一般に共通している。【００１１】
本発明は、このような問題に鑑みてなされたもので、連結、連結解除の作業がしやすく、しかも、拗れに起因して、また拗れに起因しないで、操作部に不用意な連結解除が働く確率を低く抑えられる安全な動物用の連結具を提供することを目的とする。
【課題を解決するための手段】
【００１２】
上記の目的を達成するために、本発明の動物用の連結具は、基部環が回転自在に連結された基部から延びた先端部側に寄って二股部を形成している本体と、この本体の二股部の開放部を開閉し二股部と協働して連結対象を連結、連結解除する開閉機構と、を備え、この開閉機構は、前記本体に前記二股部の開放部をその一方側と他方側との間で進退して開閉するように保持された開閉部材、この開閉部材を常時閉じるように付勢するばね、および、本体の二股部が並ぶ並び面に臨出して、前記開閉部材の前記本体二股部の一方側から他方側に進出する閉じ動作に応動して二股部の並び方向の他方側から一方側に移動され、前記一方側から前記他方側に操作されて開閉部材をばねに抗し後退させて開く操作部、を有したことを特徴としている。【００１３】
このような構成では、本体は基部環によって引き紐や係留紐に接続され、首輪や胴輪等の動物への装着帯、あるいは胴衣などの装着衣に設けられる主としてＤ環といった連結対象に二股部を開閉部材の開閉動作を伴い連結することにより、動物の引き連れや係留に用いられる。本体二股部の連結対象への連結は、本体を操作部へ当てがった親指とこれに対向する人差し指ないしは薬指との間で基部側から掴み持ちながら、親指で操作部を本体の二股部の並び方向一方側から他方側に操作することにより、開閉部材を後退させて二股部の開放部を開き、連結対象の連結部を二股部に受け入れることと、この受け入れ状態で操作部を操作から解放することにより、開閉部材がばねの付勢によって進出して二股部の開放部を自動的に閉じ、連結対象の連結部を二股部と開閉部材８とによって規定される空間内に閉じ込めることとで達成する。【００１４】
この連結状態で、動物が何かに驚いたり、興味を示して異常な動きをするなどにより、引き紐類と装着帯や装着衣との間に張力が働いている条件下で過剰な捻りが生じ本体と連結対象とが拗れ、連結対象側から操作部に本体基部側への押し戻し外力を及ぼすことがあったり、動物の通常な引き回し時を含む引き紐類と装着帯や装着衣との間に張力が働いている条件下で動物の通常進行や突進に伴い、連結部の拗れに起因してはもとより、拗れに起因しないで、操作部が動物の装着帯や装着衣、その他と擦れ違ったり行き違ったりする際に引っ掛かったり、当たったりして本体基部側への押し戻し外力を受けることがあったりしても、それらの外力は、操作部の移動とは相違するので開閉部材の閉じ側にはもとより、開き側にも移動させられることはなく連結対象との連結が解除されるのを確実に防止することができる。さらに、本体の二股部が並ぶことによる扁平化は、閉じた開閉部材に連結している連結対象との連結に拗れが生じた場合でも、二股部の並び面に位置する操作部に及びにくくするので、連結対象との間での不用意な連結解除を回避しやすくなる。【００１５】
上記において、さらに、開閉部材は、Ｃ型で二股部が並ぶ平面上での往復旋回動により一端部が二股部の一方側と他方側との間で進退して開放部を開閉し、他端部側が操作部に繋がっているものとすることができる。【００１６】
このような構成では、上記に加え、さらに、二股部、操作部、Ｃ型の開閉部材が同一平面上の小スペースに収まって操作部に連結対象が及びにくくする本体の扁平化、小型化に寄与しながら、開閉部材の開閉ストロークを大きくとれる。また、二股部が本体の先端部に位置して連結対象の本体に対する移動範囲を先端側に小さく制限して、しかも、連結対象が連結部の拗れに起因して基部側の操作部により及びにくくする操作部の位置選択自由度を高められる。【００１７】
本発明のそれ以上の目的および特徴は、以下の詳細な説明および図面によって明らかになる。本発明の特徴は、それ単独で、あるいは可能な限り種々に複合して採用することができる。
【発明の効果】
【００１８】
本発明の動物用の連結具によれば、本体を掴んだ手の親指で操作部を操作して二股部の開放部を開閉し、連結対象の連結部を二股部に受け入れて連結し、また受け入れから解放して連結を解除できるようにしながら、引き紐類と装着帯や装着衣との間に張力が働いている連結状態で、過剰な捻りが生じ本体と連結対象とが拗れた時の連結対象や、動物の通常進行や突進に伴い、動物の装着帯や装着衣、その他が操作部に対し動物側から引き紐側に擦れ違い、行き違う際に引っ掛かったり、当たったりして、本体基部側への押し戻し外力を受けることがあっても、その外力は操作部の移動方向とは相違し、開閉部材は開かれず、連結が解除されるのを確実に防止するので、連結の安全が高い確率で図れる。このことは、前記擦れ違いや引違による外力が、万一、本体の基部側から先端側に働く場合にも同様に有効である。
【図面の簡単な説明】
【００１９】
【図１】本発明の実施の形態１に係る動物用の連結具を閉じ状態で示す一部を取り除いて見た斜視図である。
【図２】図１に示す連結具を開き状態で示す一部を取り除いて見た斜視図である。
【図３】本発明の実施の形態２に係る動物用の連結具を閉じ状態で示す分解して見た斜視図である。
【図４】図３に示す連結具の全体を見た側面図である。
【図５】図３に示す連結具を閉じ状態で示す分解して見た正面図である。
【図６】図３に示す連結具を開き状態で示す分解して見た正面図である。
【図７】本発明の実施の形態３に係る動物用の連結具を閉じ状態で示す分解して見た正面図である。
【図８】図７に示す連結具を開き状態で示す分解して見た正面図である。
【発明を実施するための形態】
【００２０】
本発明に係る動物用の連結具、具体的には、引き紐や係留紐類の先端に接続して用いられ、猫や犬など小動物の首輪などの装着帯や胴衣などの装着衣に備えるよく知られるＤ環といった各種の連結対象に連結し、動物の引き回しや係留を行う動物用の連結具に関し、幾つかの実施の形態につき図１〜図８を参照して説明し、本発明の理解に供する。なお、以下に示す各実施の形態は本発明の具体例であって、特許請求の範囲の記載事項を限定するものではない。
【００２１】
（実施の形態１）
以下に図１及び図２を参照して、本発明の実施の形態１に係る動物用の連結具について説明する。本実施の形態に係る連結具１００は、上記目的を達成するために、最初に開発するに至った形態である。この連結具１００は、基部環１が回転自在に連結された基部２から延びた先端部１０側に寄って二股部３を形成した本体４を有している。この本体４は、二股部３の開放部５を開閉し二股部３と協働して連結対象６を連結、連結解除する開閉機構７を内蔵している。この内蔵のために本体４は２分割体間に開閉機構７を挟み込んでいる。しかし、これに限られることはない。開閉機構７は、前記本体４に前記二股部３の開放部５をその一方側３ａと他方側３ｂとの間で進退して開閉するように保持された開閉部材８、この開閉部材８を図１に示す状態に常時閉じるよう付勢するばね９、および、前記開閉部材８の前記二股部３の一方側３ａから他方側３ｂに進出する閉じ動作に応動して本体４の先端部１０側から基部２側に移動され、図１に示す本体４の基部２側から図２に示す先端部１０側への押し出し操作を受けて開閉部材８をばね９に抗し後退させて開放部５を開く操作部１１を有している。
【００２２】
このような連結具１００は、基部環１によって図示しない引き紐や係留紐に接続され、図示しない首輪や胴輪等の動物への装着帯、あるいは胴衣などの装着衣に設けられる主としてＤ環といった連結対象６に二股部３を開閉部材８と協働して連結することにより、動物の引き連れや係留に用いられる。二股部３の連結対象６への連結は、本体４を操作部１１への親指の当てがいを伴い基部２側から掴み持ちながら、親指で操作部１１を図１に示す本体４の基部２側から図２に示す本体４の先端部１０側にばね９に抗し押し出し操作することにより、開閉部材８を後退させて二股部３の開放部５を開き、連結対象６の連結部６ａを二股部３に受け入れることと、この受け入れ状態で操作部１１を押し出し操作から解放することにより、開閉部材８がばね９の付勢によって進出されて二股部３の開放部５を自動的に閉じさせ、連結対象６の連結部６ａを、二股部３と開閉部材８とによって規定される空間内に閉じ込め係止することとで達成される。
【００２３】
この連結状態では、動物が何かに驚いたり、興味を示して異常な動きをするなどにより、引き紐類と装着帯や装着衣との間に張力が働いている状態で過剰な捻りが生じ本体４と連結対象６とが拗れ、連結対象６側から操作部１１に基部２側への押し戻し外力を及ぼすことがあったり、動物の通常な引き回し時を含む引き紐類と装着帯や装着衣との間に張力が働いている状態で動物の通常進行や突進に伴い、連結部の拗れに起因してはもとより、拗れに起因しないで、操作部１１が動物側から引き紐側に本体４に装着帯や装着衣、その他が擦れ違ったり行き違ったりする相対移動体に引っ掛かったり、当たったりして基部２側への押し戻し外力を受けることがあったりしても、その時の押し戻しは操作部１１の閉じ側に働いて開閉部材８を閉じ位置により強く押し付けられることになるので、開閉部材８が開かれることはなく連結対象６との連結が不用意に解除されるのを確実に防止することができる。
【００２４】
本連結具１００の操作部１１は、基本的に本体４のどの箇所にあってもよいが、図示例では、本体４の基部２側と先端部１０側との間の途中側部外方への膨らみ部１２よりも基部２側位置で、開閉部材８の閉じ位置に対応したものとしている。このような構成により、引き紐類と装着帯や装着衣との間に張力が働いている状態で、引き紐側から動物側に装着帯や装着衣、その他が擦れ違い、行き違って移動する相対環境に曝された万一の場合でも、本体４の膨らみ部１２が相対移動物を受け止め操作部１１に対しては掠める程度か掠めないようにして通過させて操作部１１には引っ掛かりにくく、つまり、押し出し側に作用しにくくするので、不用意な解除に至るのをより回避しやすくなる。
【００２５】
（実施の形態２）
以下に図３、図４、図５、及び図６を参照して、本発明の実施の形態２に係る動物用の連結具について説明する。本実施の形態の連結具２００は、上述の連結具１００（実施の形態１）をさらに改良している。しかし、基本的な構成は連結具１００と共通しており、同一の部材および箇所には同一の符合を付す。この連結具２００は、基部環１が回転自在に連結された基部２から延びた先端部１０側に寄って二股部３を形成した本体４を有している。この本体４は、二股部３の開放部５を開閉し二股部３と協働して連結対象６を連結、連結解除する開閉機構７を内蔵している。開閉機構７は、前記本体４に前記二股部３の開放部５をその一方側３ａと他方側３ｂとの間で進退して開閉するように保持された開閉部材８、この開閉部材８を図３に示す状態に常時閉じるよう付勢するばね９、および、本体４の二股部３が並ぶ並び面４ａに操作窓２０を通じ臨出する操作部２１を有している。操作部２１は、前記開閉部材８の前記二股部３の図６に示す一方側３ａ位置から図５に示す他方側３ｂ位置に進出する閉じ動作に応動して二股部３の並び方向の図６に示す他方側３ｂ位置から図５に示す一方側３ａ位置に移動される。また操作部２１は、前記図５に示す一方側３ａ位置から前記図６に示す他方側３ｂ位置に操作されて、開閉部材８をばね９に抗し後退させて開く。
【００２６】
このような連結具２００は、基部環１によって引き紐や係留紐に接続され、首輪や胴輪等の動物への装着帯、あるいは胴衣などの装着衣に設けられる主としてＤ環といった連結対象６に二股部３を開閉部材８の開閉動作を伴い連結することにより、動物の引き連れや係留に用いられる。本体二股部３の連結対象６への連結は、本体４を操作部２１へ当てがった親指とこれに対向する人差し指や薬指などとの間で基部２側から掴み持ちながら、親指で操作部２１を本体４の二股部３の並び方向一方側３ａ位置から他方側３ｂ位置に操作することにより、開閉部材８を図５に示す閉じ位置から図６に示す位置に後退させて二股部３の開放部５を開き、連結対象６の連結部６ａを二股部３に受け入れることと、この受け入れ状態で操作部２１を操作から解放することにより、開閉部材８がばね９の付勢によって進出して二股部３の開放部５を図５に示すように自動的に閉じ、連結対象６の連結部６ａを二股部３と開閉部材８とによって規定される空間内に閉じ込めることとで達成する。
【００２７】
この連結状態では、動物が何かに驚いたり、興味を示して異常な動きをするなどにより、引き紐類と装着帯や装着衣との間に張力が働いている状態で過剰な捻りが生じ本体４と連結対象６とが拗れ、連結対象６側から操作部２１に本体基部２側への押し戻し外力を及ぼすことがあったり、動物の通常な引き回し時を含む引き紐類と装着帯や装着衣との間に張力が働いている状態で動物の通常進行や突進に伴い、連結部の拗れに起因してはもとより、拗れに起因しないで、操作部２１が動物の装着帯や装着衣、その他と擦れ違ったり行き違ったりする際に引っ掛かったり、当たったりして本体基部２側への押し戻し外力を受けることがあったりしても、それらの外力は、操作部２１の移動方向とは相違するので操作部２１は開閉部材８の閉じ側にはもとより、開き側にも移動させられることはなく連結対象６との連結が解除されるのを確実に防止することができる。
【００２８】
さらに、本体４の二股部３が並ぶことによる扁平化は、閉じた開閉部材８に連結している連結対象６との連結に拗れが生じた場合でも、二股部３の並び面に位置する操作部２１に連結対象６が及びにくくなるので、連結対象６との間での不用意な連結解除を回避しやすくなる。
【００２９】
同時に、動物が何かに驚いたり、興味を示して異常な動きをするなどにより、引き紐類と装着帯や装着衣との間に張力が働いている状態で過剰な捻りが生じ本体４と連結対象６とが拗れ、連結対象６側から操作部２１に本体先端部１０側への押し戻し外力を及ぼすことがあったり、動物の通常な引き回し時を含む引き紐類と装着帯や装着衣との間に張力が働いている状態で動物の通常進行や突進に伴い、連結部の拗れに起因してはもとより、拗れに起因しないで、操作部２１が動物の装着帯や装着衣、その他と擦れ違ったり行き違ったりする際に引っ掛かったり、当たったりして本体先端部１０側への押し戻し外力を受けることがあったりすると、上述の連結具１００（実施の形態１）は不用意な連結解除につながる恐れがある。しかしながら、それらの外力は、本連結具２００では、操作部２１の移動方向とは相違するので開閉部材８の閉じ側にはもとより、開き側にも移動させられることはなく連結対象６との連結が解除されるのを確実に防止することができる。従って、連結具１００に比し連結の安全が格段に向上する。
【００３０】
開閉部材８は図３、図５、図６に示すように、Ｃ型で二股部３の並び面４ａに平行な平面上での往復旋回動により一端部が二股部３の一方側３ａと他方側３ｂとの間で進退して開放部５を開閉し、他端部側が操作部２１に繋がっているものとしている。これにより、二股部３、操作部２１、Ｃ型の開閉部材８が同一平面上の小スペースに収まって操作部２１に連結対象６が及びにくくする本体４の扁平化、小型化に寄与しながら、開閉部材８の開閉ストロークを大きくとれる。また、二股部３が本体の４先端部１０に位置して連結対象６の本体４に対する移動範囲を先端側に小さく制限して、しかも、連結対象６が連結部の拗れに起因して基部２側の操作部２１により及びにくくする操作部２１の位置選択自由度を高められる。
【００３１】
本連結具２００の操作部２１は、以上のように不用意な連結解除の外力を受けにくいことから、本体４の二股部３の並び面４ａからの突出量、露出高さを大きくして操作しやすくできる。しかし、図示例では操作部２１の操作面には、いわゆるノッチやローレットの加工で代表される刻み目といった凹凸を形成することで、手指の弾力的な馴染みによる滑りにくいタッチを実現しているので、操作部２１の必要突出量、露出高さを抑えられるようにしている。これにより、操作部２１に不用意な連結解除力が働きにくくなる。また、凹凸はそのピッチが小さいほど手指のような弾力性のない他物による外力が働きにくくなる。
【００３２】
開閉部材８は、連結対象６と実質的な連結を行う一部開放の連結リングである。開閉部材８は、図３及び図４から見て取れるように、本体４の基部環１との連結部２２を有した半殻体３１（シェル）と、連結部２２を持たない半殻体３２（シェル）との間に形成した真円に倣う旋回凹部３３内にばね９と共に収容して往復旋回動されて開閉動作できるようにされている。各半殻体３１、３２の一体化は、図３に示すように、その一方に一体成形した複数のピン３４を他方に形成した連結孔３５に内面側から外面側に貫通させて貫通端部を塑性変形させる（いわゆる「かしめる」）ことにより行い、複雑な加工や作業なしに開閉部材８およびばね９を内蔵して機能させられる。従って、安価なものとなる。しかし、これに限られることはない。各半殻体３１、３２の一体化は、場合によっては接着することもできるし、ねじ止めにすれば分解によりばね９などを取り換えるといったメンテナンスが簡単にできる。
【００３３】
なお、ピン３４による連結は本体４の開放部５に対応するほぼ中央部でなし、二股部３の一方側３ａ、他方側３ｂに対応する部分間では、半殻体３１、３２の一方に形成したピン３６を他方に形成した凹部３６ａに嵌め合わせることで、各半殻体３１、３２の二股部３の対応箇所どうしが合わせ面間で位置ずれするのを防止している。また、本体４の連結孔３５は本体４の並び面４ａに形成した凹部３８内に開口させ、凹部３８の開口に形成した段部３８ａに蓋板３９を嵌めて接着や無理嵌めし、かしめ部が露出して外観を損なったり、不要な外力が及ぶのを防止している。
【００３４】
また、開閉部材８の閉じ位置は、図３に示すように連結側端部８ａが二股部３の一方側３ａから他方側３ｂに進出して、他方側３ｂの受穴３７に嵌り合う位置としてある。これにより、開閉部材８の連結対象６と連結する連結側端部８ａは、本体４の二股部３の一方側３ａから他方側３ｂに進出して連結対象６と連結されるのに、連結側端部８が二股部３の他方側３ｂにある受穴３７に嵌り合い、連結対象６と連結される連結域を挟んで本体４に両持ちされるので、引っ張り力に対抗しやすい。従って、開閉部材８に必要な横断面積を小さくできる。しかも、開閉部材８に連結対象６との間に働く張力方向は二股部３の開放部５側にほぼ限られるので、図示例では開閉部材８を張力方向に長い扁平な長方形横断面を持つものとして、総ボリュームを低減している。
【００３５】
さらに、連結具２００は、特に、図３に示すように、操作部２１は、本体４を掴むのに当てがった親指により、図５に示す左側閉じ位置から図６に示す右側開き位置に操作することにより、開閉部材８をばね９に抗して開き操作するタイプのものとしてある。
【００３６】
（実施の形態３）
以下に図７及び図８を参照して、本発明の実施の形態３に係る動物用の連結具について説明する。本実施の形態の連結具３００は、上述の連結具２００（実施の形態２）と基本的な相違はなく、開閉部材８の開閉動作方向、操作部２１の操作方向を連結具２００の場合に対して左右反転させ、適宜選択使用されるようにしている。つまり、本連結具３００は、特に、操作部２１は、本体４を掴むのに当てがった親指により、図７に示す右側閉じ位置から図８に示す左側開き位置に操作することにより、開閉部材８をばね９に抗して開き操作するタイプのものとしてある。他の構成は連結具２００と特に変わるところはなく、奏する作用効果において相違しない。
【産業上の利用可能性】
【００３７】
本発明は、動物への装着帯や装着衣に設けられる連結具において、フックと係止ピンに代わる本体の先端側に寄った二股部と二股部の開放部を閉じてＤ環などの連結対象と連結する開閉部材を設けて、本体の二股部の並び面に臨出して二股部一方側から他方側に移動する操作部により操作することで、連結対象との連結が不用意に外れるのを防止できる技術である。
【符号の説明】
【００３８】
１  基部環
２  基部
３  二股部
３ａ  一方側
３ｂ  他方側
４  本体
４ａ  ならび面
５  開放部
６  連結対象
７  開閉機構
８  開閉部材
９  ばね
１０  先端部
１１、２１  操作部
２０  操作窓
１００、２００、３００  連結具
【図１】
2014013570.tif 000003
【図２】
2014013570.tif 000004
【図３】
2014013570.tif 000005
【図４】
2014013570.tif 000006
【図５】
2014013570.tif 000007
【図６】
2014013570.tif 000008
【図７】
2014013570.tif 000009
【図８】
2014013570.tif 000010
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
基部環が回転自在に連結された基部から延びた先端部側に寄って二股部を形成している本体と、この本体の二股部の開放部を開閉し二股部と協働して連結対象を連結、連結解除する開閉機構とを備え、
この開閉機構は、側面の一方に本体の二股部が並ぶ並び面に臨出する操作部を有すると共に、一部が開放されたリング状に形成され、往復旋回動されることによって、開放端の一方を前記二股部の開放部の一方側と他方側との間で進退して開閉するように前記本体に保持された開閉部材と、
この開閉部材を常時閉じるように付勢するばねとを有し、
前記操作部は前記開閉部材の前記本体二股部の一方側から他方側に進出する閉じ動作に応動して二股部の並び方向の他方側から一方側に旋回移動され、前記一方側から前記他方側に旋回動されて開閉部材をばねに抗し後退させて開くことを特徴とする動物用の連結具。
【請求項２】
前記開閉部材の他端部側が操作部に繋がっている請求項１に記載の動物用の連結具。
【手続補正２】
【補正対象書類名】明細書
【補正対象項目名】００１２
【補正方法】変更
【補正の内容】
【００１２】
上記の目的を達成するために、本発明の動物用の連結具は、基部環が回転自在に連結された基部から延びた先端部側に寄って二股部を形成している本体と、この本体の二股部の開放部を開閉し二股部と協働して連結対象を連結、連結解除する開閉機構と、を備え、この開閉機構は、側面の一方に本体の二股部が並ぶ並び面に臨出する操作部を有すると共に、一部が開放されたリング状に形成され、往復旋回動されることによって、開放端の一方を前記二股部の開放部の一方側と他方側との間で進退して開閉するように前記本体に保持された開閉部材と、この開閉部材を常時閉じるように付勢するばねとを有し、前記操作部は前記開閉部材の前記本体二股部の一方側から他方側に進出する閉じ動作に応動して二股部の並び方向の他方側から一方側に旋回移動され、前記一方側から前記他方側に旋回動されて開閉部材をばねに抗し後退させて開くことを特徴としている。
【手続補正３】
【補正対象書類名】明細書
【補正対象項目名】００１４
【補正方法】変更
【補正の内容】
【００１４】
この連結状態で、動物が何かに驚いたり、興味を示して異常な動きをするなどにより、引き紐類と装着帯や装着衣との間に張力が働いている条件下で過剰な捻りが生じ本体と連結対象とが拗れ、連結対象側から操作部に本体基部側への押し戻し外力を及ぼすことがあったり、動物の通常な引き回し時を含む引き紐類と装着帯や装着衣との間に張力が働いている条件下で動物の通常進行や突進に伴い、連結部の拗れに起因してはもとより、拗れに起因しないで、操作部が動物の装着帯や装着衣、その他と擦れ違ったり行き違ったりする際に引っ掛かったり、当たったりして本体基部側への押し戻し外力を受けることがあったりしても、それらの外力は、操作部の移動とは相違するので開閉部材の閉じ側にはもとより、開き側にも移動させられることはなく連結対象との連結が解除されるのを確実に防止することができる。さらに、本体の二股部が並ぶことによる扁平化は、閉じた開閉部材に連結している連結対象との連結に拗れが生じた場合でも、二股部の並び面に位置する操作部に及びにくくするので、連結対象との間での不用意な連結解除を回避しやすくなる。さらに、二股部、操作部、開閉部材が同一平面上の小スペースに収まって操作部に連結対象が及びにくくする本体の扁平化、小型化に寄与しながら、開閉部材の開閉ストロークを大きくとれる。
【手続補正４】
【補正対象書類名】明細書
【補正対象項目名】００１５
【補正方法】変更
【補正の内容】
【００１５】
上記において、さらに、開閉部材の他端部側が操作部に繋がっているものとすることができる。
【手続補正５】
【補正対象書類名】明細書
【補正対象項目名】００１６
【補正方法】変更
【補正の内容】
【００１６】
このような構成では、上記に加え、二股部が本体の先端部に位置して連結対象の本体に対する移動範囲を先端側に小さく制限して、しかも、連結対象が連結部の拗れに起因して基部側の操作部により及びにくくする操作部の位置選択自由度を高められる。
【国際調査報告】
2014013570.tif 000011
2014013570.tif 000012
2014013570.tif 000013
2014013570.tif 000014